(57)【要約】【課題】  ペンダントとして吊るして持ち歩けて、電車の中で違和感なく「ビューティ・ローラ」等として使用できるペンダントを提供することも目的とする。【解決手段】  上端部に吊持部材９を挿通する吊持部（貫通穴）１１が形成され外観が柱状体になったペンダント１であって、該ペンダント１が、基部３と、該基部３によって回転自在に支承されたローラ部５と、このローラ部５の下端方に形成され該ローラ側に拡径部が位置する半球状部７とを具備している。【選択図】        図１
2006218156.tif 000002
【特許請求の範囲】
【請求項１】
上端部に吊持部材を挿通する吊持部が形成され外観が柱状体になったペンダントであって、
前記ペンダントが、基部と、該基部によって回転自在に支承されたローラ部と、このローラ部の下端方に形成され該ローラ側に拡径部が位置する半球状部とを具備していることを特徴とするペンダント。
【請求項２】
前記ペンダントの、少なくとも前記ローラ部又は／および半球状部が、ゲルマニューム、トルマリン、チタン、シリカ、磁性体のいずれか１つあるいはそれらの混入物のいずれか１つで構成されていることを特徴とする請求項１記載のペンダント。
【請求項３】
前記ペンダントが、さらに、前記ローラ部の外周方に着脱自在になった筒状の弾性体を有することを特徴とする請求項１又は２記載のペンダント。
【請求項４】
前記弾性体に、ゲルマニューム、トルマリン、チタン、シリカ、磁性体のいずれか１つが混入されていることを特徴とする請求項３記載のペンダント。
【発明の詳細な説明】
【技術分野】
【０００１】
本発明は、チェーン等の吊持部材によって首等から吊り下げられるペンダントに関し、特に、所謂「ビューティ・ローラ」として、あるいは指圧の「つぼ」等の押圧に使用できる押圧具としても使用できるペンダントに関する。
【背景技術】
【０００２】
近年、健康ブームが到来し、種々のものが商品として提供されている。その中の一つとして、ゲルマニュームあるいはチタン、又は磁性体等のもので、あるいはそれらが混入されたもので、少なくともローラ表面が構成された所謂「ビューティ・ローラ」なるものが、通信販売を中心に提供されている。この「ビューティ・ローラ」とは、前記材質からなるローラを顔の表面に押しつけて転がすことによって、肌を美しく保てたり、あるいは所謂「いらいら」が解消できるものである（特許文献１）。
【０００３】
また、別の健康具として、指圧の所謂「つぼ」部分を押圧する押圧具が提供されていることは周知のとおりである。
【特許文献１】特開平８−１０３３２５号公報。
【発明の開示】
【発明が解決しようとする課題】
【０００４】
しかしながら、前記健康具はいずれも専ら家庭で使用するものであって、電車等の中で使用できるような物ではなかった。つまり、大きさ的には、持ち歩くことも可能な程度ではあるが、わざわざバッグ等に入れて持ち歩くとなると、嵩張るものであり、また電車等で使用するには甚だ違和感があるような形態のものであった。
【０００５】
本発明者は、このような状況に鑑みて、女性等（勿論、男性であってもよい）が通常のペンダントと同じく首等からチェーンで吊るして持ち歩けて、且つ電車の中で使用しても全く違和感のない、前記「ビューティ・ローラ」や「つぼ」部分を押圧する押圧具として使用できる、ペンダントを提供することも目的とする。
【課題を解決するための手段】
【０００６】
前記本発明の目的は、以下の構成からなるペンダントによって解決することができる。
【０００７】
本発明にかかるペンダントは、上端部に吊持部材を挿通する吊持部が形成され外観が柱状体になったペンダントであって、
前記ペンダントが、基部と、該基部によって回転自在に支承されたローラ部と、このローラ部の下端方に形成され該ローラ側に拡径部が位置する半球状部とを具備していることを特徴とする。
【発明の効果】
【０００８】
前述のような構成からなる本発明にかかるペンダントによれば、前記基部を指で持った状態で、ローラ部の表面を顔の肌等に当てた状態で転がせば、前記「ビューティ・ローラ」として使用することができる。また、前記基部を指で持った状態で、半球状部の先端で「つぼ」を押圧すれば、指圧することが可能となる。
【０００９】
そして、持ち歩くときには、チェーン等の吊持部材によって首等からぶら下げておけば、何ら違和感なく、通常のペンダントとして、ファッション性を醸しだすことができる。勿論、バッグの中に入れて持ち歩くこともできる。
【発明を実施するための最良の形態】
【００１０】
また、前記本発明にかかるペンダントにおいて、前記ペンダントの、少なくとも前記ローラ部又は／および半球状部が、ゲルマニューム、トルマリン、チタン、シリカ、磁性体のいずれか１つあるいはそれらの混入物のいずれか１つで構成されていると、これらの効果によって、より肌を滑らかにしたりあるいは艶を生じさせることが可能となり、また指圧効果を高めることが可能となる。また、花粉症や「いらいら」の鎮静にも効果が期待できる。
【００１１】
また、前記本発明にかかるペンダントにおいて、前記ペンダントが、さらに、前記ローラ部の外周方に着脱自在になった筒状の弾性体を有するものであると、この弾性体を付け替えることによって、それぞれの効果に適した仕様とすることができる。例えば、表面に凹凸のある筒状のものとすることによって、肌により刺激を与えることができ、また、別の作用効果のある材質からなる弾性体と取り替えることによって、別の効果を得るよう使用することができる。
【００１２】
また、前記本発明にかかるペンダントにおいて、前記弾性体に、ゲルマニューム、トルマリン、チタン（酸化チタンを含む）、シリカ、磁性体のいずれか１つが混入されていると、あらゆるものを容易に混入することができ、また着脱することによって、別の作用効果を有するものを挿着し直して、別の用途に使用することができる。
【実施例１】
【００１３】
以下、本願発明の実施例にかかるペンダントを、図面を参照しながら具体的に説明する。
【００１４】
図１は本発明の一実施例にかかるペンダントの外観形態を示す斜視図、図２は図１に示すペンダントの側面図、図３は図２のIII-III 矢視図、図４は図２のIV-IV 矢視図である。
【００１５】
図１〜図４において、１は全体の外観が柱状体（この実施例では、円柱状体）をしたペンダントで、このペンダント１は、長手方向に複数の溝が平行状に形成された基部３と、該基部３の下方（ペンダントとして使用したときの下方：図１、図２では右方）に該基部３に対して回転自在に支承されたローラ部５と、このローラ部５の下端方（図１、図２において右端方）に該ローラ部５と一体に回転するよう取着された半球状部７とを有する。
【００１６】
前記基部３は、外観を示す図２あるいはローラ部５を断面した図５に示すように、大径部からなる上部（図２、図５において左部）３Ａと小径部からなる下部（図２，図５において右部）３Ｂを備えている。そして、前記上部３Ａの上端から約１／３程度〜１／５程度の上端部には、チェーン９（図１参照）を挿通するための吊持部である貫通穴１１がペンダント１の長手方向（図２において水平方向）に直交する方向、つまりペンダント１の径方向に形成され、この貫通穴１１に該チェーン９を挿通することによって、首等から吊持することができるよう構成されている。
【００１７】
そして、この基部３の下部３Ｂは、図５に図示するように、小径の円柱状体に形成されており、この下部３Ｂに前記ローラ部５が、ミニチュアベアリング１３を介して、回転自在に支承されている。従って、基部３に対して、ローラ部５は、極めて低抵抗で且つ滑らかに回転することができるよう構成されている。また、基部３の上部３Ａとローラ部５との間には、この実施例の場合には、隙間が殆ど無い状態（図５では隙間を誇張して図示している）に形成されており、従って、この基部３の上部３Ａとローラ部５との間から、前記ミニチュアベアリング１３へ塵芥等が進入しないような構成となっている。
【００１８】
また、前記ローラ部５の表面は、この実施例の場合には所謂鏡面仕上げされた状態となっている。勿論、ローラ部５の表面は、このように鏡面仕上げされた状態に限定されるものではない。
また、このローラ部５の下端方には、図５に図示するように、前記半球状部７の最大径部分が嵌着されることによって、この半球状部７とローラ部５とが前記基部３に対して一体に回転するよう構成されている。また、この実施例では、前記半球状部７も所謂鏡面仕上げされた状態となっている。勿論、半球状部７の表面は、このように鏡面仕上げされた状態に限定されるものではない。
【００１９】
ところで、材質的には、この実施例の場合には、前記基部３、前記ローラ部５、前記半球状部７の全てが、所謂ゲルマニュームを混入した金属で構成されている。しかしながら、材質的には、他の材質、例えば、チタン（酸化チタンを含む）、トルマリン、シリカ、磁性体等の少なくともいずれか１つの材質あるいはそれらの少なくともいずれか１つのものの粉末等を混入した混入物ので構成されていてもよい。これらの材質は、いずれも健康具として好ましいとされている材質のものである。また、ペンダント１の全てを同じ材質のもので構成するのでなく、一部のみ前記いずれかの材質のもので構成したり、あるいは各部に前記材質のうち異なる材質を使用してもよい。具体的には、例えば、前記ローラ部５をゲルマニュームで構成し、半球状部７を磁性体で構成してもよいし、あるいは前記ローラ部５をトルマリンの粉末を混入した混入物で構成し、半球状部７をチタンで構成してもよいし、他の組み合わせであってもよい。
【００２０】
そして、この実施例にかかるペンダント１の場合には、図６に図示するような円筒状の弾性体１５、例えばゴム製の弾性体１５を、図５に二点鎖線で示すように前記ローラ部５の外周方に嵌着できるように構成されている。この弾性体１５は、表面が滑らかな面であっても、あるいは表面に凹凸が形成されているような面で構成されていてもよい。また、この弾性体１５に混入されるものの材質は、前記ペンダント１と同じような材質のものが混入されてもよく、例えば、ペンダント１のローラ部５がゲルマニュームで構成されている場合には、弾性体１５に磁性体を混入したもので構成したり、あるいはトルマリンを混入したもので構成することが好ましい。かかる場合には、該弾性体１５をローラ部５に取り付けたときと、取り外したときとで、異なる作用効果を得ることができる。
【００２１】
しかして、前述のように構成された本ペンダント１の場合、前記基部３を指で持った状態で、ローラ部５の表面５Ｆを顔の肌等に当てた状態で転がせば、極めて小さな力で且つ滑らかに転がすことができ、所謂「ビューティ・ローラ」として使用することができる。また、前記基部３を指で持った状態で、半球状部７の先端で体の所謂「つぼ」を押圧すれば、指圧することが可能となる。
【００２２】
そして、持ち歩くときには、図１に示すチェーン９等によって首等からペンダント１をぶら下げておけば、通常のペンダントとして、何ら違和感なく、ファッション性を醸しだすことができる。勿論、バッグの中あるいはポケットの中に入れて持ち歩いてもよいことは言うまでもない。
【００２３】
前記ペンダント１および弾性体１５は、材質的には、前述した材質に限定されるものでなく、種々の材質のもので構成することが可能となる。
【００２４】
また、前記半球状部７は、狭義の意味での半球状の形態に限定されるものでなく、「つぼ」を押圧するのに適したような多少異なる外形を有するものをも含むものとして、「半球状」という文言を使用している。
【産業上の利用可能性】
【００２５】
本願発明にかかるペンダントは、装飾物として健康具等として使用することができる。
【図面の簡単な説明】
【００２６】
【図１】本発明の一実施例にかかるペンダントの外観形態を示す斜視図である。
【図２】図１に示すペンダントの側面図である。
【図３】図２のIII-III 矢視図である。
【図４】図２のIV-IV 矢視図である。
【図５】基部がローラ部を回転自在に支承する構造を示す支承部分を断面して示す部分断面図である。
【図６】ローラ部の外周方に着脱自在に装着する弾性体の構成を示す斜視図である。
【符号の説明】
【００２７】
１…ペンダント
３…基部
５…ローラ部
７…半球状部
９…チェーン
【図１】
2006218156.tif 000003
【図２】
2006218156.tif 000004
【図３】
2006218156.tif 000005
【図４】
2006218156.tif 000006
【図５】
2006218156.tif 000007
【図６】
2006218156.tif 000008